(57)【要約】【課題】  瓦施工作業の際、瓦桟に足を掛けたりその上を歩いたりして作業するので、瓦桟の上面に滑り止め用の凹凸を形成する場合がある。しかし足が掛かる部分は、屋根傾斜に対して上側に当る瓦桟の上面側の角部が殆どであり、この場合の上面のみの凹凸では足が掛かる面積が少なく充分な滑り止め効果が得られなかった。【解決手段】  屋根の上に固定し瓦を支持する瓦桟１の断面矩形状の上辺側の片方及び／又は両方の角部近傍に、長手方向に連続する1乃至複数の滑り止め用の凸条２を突設する。【選択図】  図２
2006193980.tif 000002
【特許請求の範囲】
【請求項１】
屋根の上に固定し瓦を支持する瓦桟において、断面矩形状の上辺側の片方及び／又は両方の角部近傍に長手方向に連続する1乃至複数の滑り止め用の凸条を有することを特徴とする合成樹脂製瓦桟。
【請求項２】
滑り止め用の凸条を斜め上方外側に突設し、屋根の傾斜面に設置した際に凸条が略上方に向くようにしたことを特徴とする請求項１記載の合成樹脂製瓦桟。
【請求項３】
断面矩形状の上辺側の片方及び／又は両方の角部を平坦又は円弧状に面取りし、該面取り部に滑り止め用の凸条を突設したことを特徴とする請求項１または２記載の合成樹脂製瓦桟。
【請求項４】
滑り止め用の凸条を多数の突起に分割したことを特徴とする請求項１から３記載の合成樹脂製瓦桟。
【発明の詳細な説明】
【技術分野】
【０００１】
本発明は、屋根の上に使用される合成樹脂製瓦桟に関するものである。
【背景技術】
【０００２】
従来から、住宅の屋根に瓦を固定するため、木製や樹脂発泡体製の底面が平坦な断面矩形状の瓦桟が用いられている。この瓦桟は、屋根の上面に屋根の傾斜方向と垂直な方向で上面を釘打ちして、瓦桟底面と屋根を密着させ、固定しており、これにより瓦を係止する。
【０００３】
ところで、瓦施工作業の際に作業効率を良くするため、瓦桟に足を掛けたりその上を歩いたりして作業することが多い。そこで瓦桟の上面に滑り止め用の凹凸を形成する場合がある。（例えば、特許文献１参照）。
【０００４】
しかし足が掛かる部分は、屋根傾斜に対して上側に当る瓦桟の上面辺側の角部が殆どであり、この場合の上面のみの凹凸では足が掛かる面積が少なく充分な滑り止め効果が得られなかった。
【特許文献１】特開２００２−３４９０２０公報
【発明の開示】
【発明が解決しようとする課題】
【０００５】
本発明は、従来の上面のみの凹凸では充分に得られなかった滑り止め効果を得ることを技術的課題とする。
【課題を解決するための手段】
【０００６】
請求項１に係る発明の合成樹脂製瓦桟は、屋根の上に固定し瓦を支持する合成樹脂製瓦桟でにおいて、断面矩形状の上辺側の片方及び／又は両方の角部近傍に長手方向に連続する1乃至複数の滑り止め用の凸条を有することを特徴とする。
【０００７】
そしてまた、請求項２に係る発明の合成樹脂製瓦桟は、請求項１に記載の合成樹脂製瓦桟において、滑り止め用の凸条を斜め上方外側に突設し、屋根の傾斜面に設置した際に凸条が略上方に向くようにしたことを特徴とする。
【０００８】
そしてまた、請求項３に係る発明の合成樹脂製瓦桟は、請求項１または２に記載の合成樹脂製瓦桟において、断面矩形状の上辺側の片方及び／又は両方の角部を平坦又は円弧状に面取りし、該面取り部に滑り止め用の凸条を突設したことを特徴とする。
【０００９】
さらにまた、請求項４に係る発明の合成樹脂製瓦桟は、請求項１から３に記載の合成樹脂製瓦桟において、滑り止め用の凸条を多数の突起に分割したことを特徴とする。
【発明の効果】
【００１０】
請求項１に係る発明の合成樹脂製瓦桟によれば、屋根の傾斜面に設置した際に人が最も足を掛ける断面矩形状の上辺側の角部近傍に凸条を設けたことで、より確実な滑り止め効果が得られる。
【００１１】
また、請求項２係る発明の合成樹脂製瓦桟によれば、滑り止め用の凸条を斜め上方外側に突設し、屋根の傾斜面に設置した際に凸条が略上方に向くようにしたことで、人の足が凸条に対し略垂直に当るようになり、より確実な滑り止め効果が得られる。
【００１２】
また、請求項３係る発明の合成樹脂製瓦桟によれば、断面矩形状の上辺側の片方及び／又は両方の角部を平坦又は円弧状に面取りし、該面取り部に滑り止め用の凸条を突設したことで、屋根の傾斜面に対し略上方に向く凸状を容易にかつ複数設けることができる。
【００１３】
また、請求項４係る発明の合成樹脂製瓦桟によれば、滑り止め用の凸条を多数の突起に分割したことで、瓦桟に対し長手方向の滑り止め効果が得られ、瓦桟を屋根の傾斜に直交するように使用した場合は、屋根の横歩きに対し、また屋根の傾斜に垂直に使用した場合は屋根を登る際に効果がある。
【発明を実施するための最良の形態】
【００１４】
以下、実施の形態に基づいて本発明を詳細に説明する。但し本発明は以下の実施形態にとらわれることはない。
【００１５】
まず、本発明の瓦桟１を施工した状態を図１に示す。屋根１１の上面に屋根の傾斜方向と垂直な方向で通常貼設される防水ルーフィング１２の上に置き、釘１３打ち込むことにより、防水ルーフィング１２上に瓦桟底面を密着させ固定する。そしてこの瓦桟１に瓦１４を係止し、釘１５を打ち込むことにより固定する。この瓦１４固定作業の際に、人が作業し易いように瓦桟1に足を掛けて作業をする。その厳密な足の掛かり方は、屋根面から瓦桟1の屋根傾斜上辺側の角部に掛かるように踏むことが最も多いのである。そこで本発明は、最も足が掛かることが多い瓦桟1の上辺側の角部近傍に、滑り止め用の凸条を設けようとするものである。
【００１６】
第１実施形態
第１実施形態では図２（ａ）に示すように、断面矩形状である瓦桟１の上辺側の両角部近傍の側面側に、滑り止め用の凸条２が２条突設されている。この凸条２は連続しているかあるいは図２（ｂ）に示すように一定間隔に多数の突起２´に分割して構成されている。
さらに、上面には中央付近に平面３が形成され、この平面３に釘打ち部を示す凹部４が設けられ、その平面３の両側に滑り止め用の補助凸条５が２条突設されている。
さらに、底面には屋根の傾斜方向と直交する方向に並ぶ複数の位置に、一定間隔で屋根の傾斜方向に貫通する排水溝６が設けられている。
また、図示しないが、排水溝６の裏側に位置する箇所には釘打ち禁止部分としてエンボス部が設けられている。
【００１７】
また、瓦桟１は、発泡材を用いて押出発泡成形して得られる樹脂発泡成形体であることが考えられる。材質は特に限定はされないが、低密度ポリエチレン、高密度ポリエチレン、ポリプロピレン、エチレンとα−オレフィン共重合体、エチレン−酢酸ビニル共重合体、エチレン−アクリロニトリル共重合体、アノオノマー等のポリオレフィン系樹脂；ポリスチレン、アクリロニトリル−スチレン樹脂（ＡＳ樹脂）などのポリスチレン樹脂；ポリ塩化ビニル；ナイロン６、ナイロン６６、ナイロン６１０、ナイロン１１、ナイロン１２などのポリアミド樹脂；ポリエチレンテレフタレート、ポリブチレンテレフタレートなどの熱可塑性ポリエステル樹脂；ポリカーボネート、ポリフェニレンエーテルなどを使用することにより、釘打ち可能な樹脂成形体を成形することが出来る。
【００１８】
さらに、ポリブタジエン微粒子を含有するハイインパクトポリスチレン（ＨＩＰＳ）や、アクトロニトリル−ブタジエン−スチレン樹脂（ＡＢＳ樹脂）など、ゴム成分を微粒子等の形状で含有している樹脂を用いることにより、良好な耐衝撃性を有する樹脂成形体を得ることが出来、釘打ちの時の割れなどを抑制できる効果が得られる。
【００１９】
さらに、上記の樹脂発泡成形体の外周部に、樹脂を発泡させずに被覆層を設けることにより、成形時の寸法精度や、製品の耐久強度を上げることが可能となる。このとき、用いる樹脂は任意に用いることができるが、上記に挙げられたものを使用することが考えられる。特に、ポリブタジエン微粒子を含有するハイインパクトポリスチレン（ＨＩＰＳ）や、アクトロニトリル−ブタジエン−スチレン樹脂（ＡＢＳ樹脂）など、ゴム成分を微粒子等の形状で含有している樹脂を用いることにより、良好な耐衝撃性を有する樹脂成形体を得ることが出来、釘打ちの時の割れなどを抑制できる効果が得られるため、好ましい。
【００２０】
このように構成された瓦桟１は、屋根の傾斜面に設置した際に最も人が足を掛ける上辺側角部近傍に凸条２を設けたことで、より確実な滑り止め効果が得られる。また、凸条を突起２´に分割することで、人が瓦残上を横歩きする際の滑り止め効果に有効である。
【００２１】
第２実施形態
第２の実施形態では図３（ａ）に示すように、上辺側の両角部近傍に設けられた滑り止め用の凸条２が側面側だけでなく、角部を挟んだ上面側にも設けられている。このように対向する上面側にも設けることで、滑り止め効果を向上できる。
また、第１の実施形態と同様にこの凸条２は連続しているかあるいは図３（ｂ）に示すように一定間隔に多数の突起２´に分割して構成される。さらに、その他も第１の実施形態と同様に設けられ、そして同様の効果を得ることができる。
【００２２】
第３実施形態
第３の実施形態では図４に示すように、上辺側の両角部近傍に設けられた滑り止め用の凸条２が角部上で斜め４５°上方外側に向けて１条、さらに側面側及び上面側に１条づつ突設されている。このように斜め上方外側に向けて突設すると、屋根の傾斜面に設置した際に凸条２が略上方に向くようになる。すると人の足が凸条に対し略垂直に当るようになり、より確実な滑り止め効果が得られる。なお、斜め４５°の上方としているが、屋根の傾斜に応じて任意に決定できる。
また、第１の実施形態と同様にこの凸条２は連続しているかあるいは一定間隔に多数の突起に分割して構成される。さらに、その他も第１の実施形態と同様に設けられ、そして同様の効果を得ることができる。
【００２３】
第４実施形態
第４の実施形態では図５（ａ）に示すように、上辺側の角部を平坦に面取りし、その面取り部に滑り止め用の凸条２を突設している。また、面取り部を上辺側にのみ設けることで、通常の瓦桟と同様に瓦を引掛けて固定できる。
このように上辺側の角部を平坦な面取り部とし、そこに滑り止め用の凸条２を設けると、屋根の傾斜面に設置した際に略上方に向く凸条を容易にかつより多く突設することが可能となる。
また、第１の実施形態と同様にこの凸条２は連続しているかあるいは一定間隔に多数の突起に分割して構成される。さらに、その他も第１の実施形態と同様に設けられ、そして同様の効果を得ることができる。
また、図５（ｂ）に示すように、上辺側の角部を円弧状に面取りした面取り部としても同様の効果が得られる。
【図面の簡単な説明】
【００２４】
【図１】本発明の瓦桟を屋根に設置した状態の説明図
【図２】本発明の第１実施形態に係る瓦桟の断面図及び平面斜視図
【図３】本発明の第２実施形態に係る瓦桟の断面図及び平面斜視図
【図４】本発明の第３実施形態に係る瓦桟の断面図
【図５】本発明の第４実施形態に係る瓦桟の断面図
【符号の説明】
【００２５】
１      瓦桟
２      凸条
２´    突起
３      平面
４      凹部
５      補助凸条
６      排水溝
１１    屋根
１２    防水ルーフィング
１３    釘
１４    瓦
１５    釘
【図１】
2006193980.tif 000003
【図２】
2006193980.tif 000004
【図３】
2006193980.tif 000005
【図４】
2006193980.tif 000006
【図５】
2006193980.tif 000007